(57)【要約】【課題】  高所に設置された状態でも前面カバーに表示された負荷名称を視認し易くした住宅用分電盤を提供する。【解決手段】  分電盤箱体３の内部に組み付けられた複数の分岐ブレーカ２の操作ハンドル３ａを露出させる第２の窓孔５を分電盤箱体３の前面カバー３ａに設け、分岐ブレーカ２を横一列に列設すると共に前面カバー３ａの第２の窓孔５の下部に分岐ブレーカ２に接続された負荷の名称を表示する負荷名称表示部６を設け、前面カバー３ａの負荷名称表示部６を含む下部全体が一様に斜め下を向くよう傾斜形成した。【選択図】  図２
2015139249.tif 000002
【特許請求の範囲】
【請求項１】
分電盤箱体の内部に組み付けられた複数の分岐ブレーカの操作ハンドルを露出させる窓孔を分電盤箱体の前面カバーに設けた住宅用分電盤において、
前記複数の分岐ブレーカが横一列に列設されると共に、前記前面カバーの前記窓孔の下部に前記分岐ブレーカに接続された負荷の名称を表示する負荷名称表示部が設けられ、
前記前面カバーの少なくとも前記負荷名称表示部を設けた部位が、斜め下を向くよう傾斜形成されて成ることを特徴とする住宅用分電盤。
【請求項２】
前記負荷名称表示部を含む前記前面カバーの下部全体を一様に斜め下を向くよう傾斜形成したことを特徴とする請求項１記載の住宅用分電盤。
【発明の詳細な説明】
【技術分野】
【０００１】
本発明は、住宅内に設置される住宅用分電盤に関し、特にブレーカの操作ハンドルが露出して分電盤箱体を開けること無くブレーカを操作できる住宅用分電盤に関する。
【背景技術】
【０００２】
住宅用分電盤において、分電盤箱体の前面を閉塞するカバーに窓孔を設けてカバーを開けることなくブレーカを操作できる住宅用分電盤がある。
例えば特許文献１に開示された住宅用分電盤は、分電盤箱体の前面を閉塞するカバーに、内部に組み付けた主幹ブレーカや複数の分岐ブレーカ等のブレーカの操作ハンドルを露出させる窓孔を設けて個々の操作ハンドルを露出させ、カバーを開けることなくブレーカのオン／オフ操作が可能となっている。また、カバーには分岐ブレーカに接続された負荷名称を表示する表示部が設けられている。
【先行技術文献】
【特許文献】
【０００３】
【特許文献１】特開２００１−３２０８０８号公報
【発明の概要】
【発明が解決しようとする課題】
【０００４】
上記特許文献１の住宅用分電盤は、操作ハンドルが露出し、且つ個々の分岐ブレーカの接続負荷情報がカバーに表示されているため、カバーを開けること無く操作できるし、接続された負荷を確認できるため、ブレーカの操作ミスを防止できた。
しかしながら、住宅用分電盤は壁面の高所に設置されるにもかかわらず、従来のこのような住宅用分電盤はカバー全体が平坦であって、負荷名称を表示した部位も正面を向いているため、見上げただけではカバーに表示された負荷名称を容易に視認することができなかった。
【０００５】
そこで、本発明はこのような問題点に鑑み、高所に設置された状態でも分電盤箱体前面に表示された負荷名称を視認し易い住宅用分電盤を提供することを目的としている。
【課題を解決するための手段】
【０００６】
上記課題を解決する為に、請求項１の発明は、分電盤箱体の内部に組み付けられた複数の分岐ブレーカの操作ハンドルを露出させる窓孔を分電盤箱体の前面カバーに設けた住宅用分電盤において、前記複数の分岐ブレーカが横一列に列設されると共に、前記前面カバーの前記窓孔の下部に前記分岐ブレーカに接続された負荷の名称を表示する負荷名称表示部が設けられ、前記前面カバーの少なくとも前記負荷名称表示部を設けた部位が、斜め下を向くよう傾斜形成されて成ることを特徴とする。
この構成によれば、負荷名称表示部は斜め下に向けて形成されているため、住宅用分電盤が壁面の高所で見上げる位置に設置されても表示されている負荷名称を視認し易い。
【０００７】
請求項２の発明は、請求項１に記載の構成において、前記負荷名称表示部を含む前記前面カバーの下部全体を一様に斜め下を向くよう傾斜形成したことを特徴とする。
この構成によれば、前面カバーの下部全体が一様に傾斜形成されるため、負荷名称表示部を斜め下に向けても分電盤箱体全体の外観をスッキリした形状にでき、デザイン性の向上を図ることができる。
【発明の効果】
【０００８】
本発明によれば、負荷名称表示部は斜め下に向けて形成されているため、住宅用分電盤が壁面の高所で見上げる位置に設置されても表示されている負荷名称を視認し易い。
【図面の簡単な説明】
【０００９】
【図１】本発明に係る住宅用分電盤の一例を示し、（ａ）は正面図、（ｂ）は前面カバーを外した正面図である。
【図２】図１の住宅用分電盤の斜視図であり、左斜め下方から見た状態を示している。
【発明を実施するための形態】
【００１０】
以下、本発明を具体化した実施の形態を、図面を参照して詳細に説明する。図１は本発明に係る住宅用分電盤の一例を示し、（ａ）は正面図、（ｂ）は前面カバーを外した正面図である。図１において、１は主幹ブレーカ、２は分岐ブレーカ、３は分電盤箱体であり、４は主幹ブレーカ１の操作ハンドル１ａを露出させる第１の窓孔、５は分岐ブレーカ２の操作ハンドル２ａを露出させる第２の窓孔、６は接続負荷を表示する負荷名称表示部である。尚、分電盤箱体３は分岐ブレーカ２等の機器を組み付ける本体３ａと、本体３ａの開放された前面を閉塞する前面カバー３ｂとで構成されている。
【００１１】
分岐ブレーカ２は主幹ブレーカ１に隣接して設置され、複数の分岐ブレーカ２，２・・は密着して横方向に列設されている。１０は主幹ブレーカ１と分岐ブレーカ２とを電気的に接続する銅バーであり、分岐ブレーカ２は上面に電源側端子１１、下面に負荷側端子１２が配置されている。尚、主幹ブレーカ１への引き込み線、分岐ブレーカ２の負荷配線等は省略してある。
この実施形態で組み付けられている分岐ブレーカ２は、所謂薄型ブレーカと称されるもので幅が約１０ｍｍであり、例えば特開２００８−４７３６２号公報に開示されている分岐ブレーカである。このように、分岐ブレーカ２を薄型にすることで、従来は上下２段で列設されていた分岐ブレーカの群を１列のみの配置で対応可能としている。
【００１２】
このように横方向に一列に組み付けられた分岐ブレーカ２に対して、第２の窓孔５は、分岐ブレーカ２の列全体の幅に合わせて長方形形状に開口されている。具体的に図１では、組み付けられた８個の分岐ブレーカ２に対応するよう第２の窓孔５は形成されている。負荷名称表示部６は、この第２の窓孔５と同一の幅で形成され、個々の分岐ブレーカ２に接続された負荷の名称を記入したシート（図示せず）を装着可能に僅かな窪みを設けて形成されている。
【００１３】
尚、ここでは最大８個の分岐ブレーカ２を組み付けできる分電盤箱体３を示しているが、分岐ブレーカ２が更に多い場合は横幅を拡張した分電盤箱体を使用すれば良いし、分岐ブレーカ２が７個以下の場合は第２の窓孔５の一部を閉塞部材（図示せず）で閉塞すれば良い。また、分岐ブレーカ２の数が少ない場合は、分電盤箱体を小型にしても良い。
【００１４】
そして、図１においてＡで示す領域が傾斜を設けた傾斜領域であり、前方斜め下を向くよう形成されている。図２は図１の住宅用分電盤を左斜め下方から見た斜視図であり、この図２に示すように負荷名称表示部６を含む箱体の下部全体が斜め下方を向くよう傾斜形成されている。
【００１５】
このように、負荷名称表示部６は斜め下に向けて配置されるため、住宅用分電盤が壁面の高所で見上げる位置に設置されても、表示されている負荷名称を視認し易い。
また、前面カバー３ｂの下部全体が一様に傾斜形成されるため、負荷名称表示部６を斜め下に向けても分電盤箱体全体の外観をスッキリした形状にでき、デザイン性の向上を図ることができる。
【００１６】
尚、上記実施形態では、分電盤箱体３の下部全体を一様に傾斜形成しているが、負荷名称表示部６を設けた領域のみ傾斜させても良い。分岐ブレーカ２に比べて主幹ブレーカ１が大きく、傾斜させることで収納空間が狭くなり主幹ブレーカ１の収納が難しくなるような場合は、主幹ブレーカ配置領域は傾斜させず、上下に亘り平坦な面としても良い。
また、前面カバー３ｂの傾斜領域Ａを直線に近い形で傾斜させているが、湾曲させて上部平坦な面から連続するよう形成しても良い。
【符号の説明】
【００１７】
１・・主幹ブレーカ、１ａ・・操作ハンドル、２・・分岐ブレーカ、２ａ・・操作ハンドル、３・・分電盤箱体、３ｂ・・前面カバー、４・・第１の窓孔、５・・第２の窓孔（窓孔）、６・・負荷名称表示部、Ａ・・傾斜領域。
【図１】
2015139249.tif 000003
【図２】
2015139249.tif 000004